(57)【要約】【課題】住戸アダプタで通話路の切替をおこなうようにして住戸アダプタ及び居室親機間の通話路の配線数を削減し省線化を図った集合住宅インターホンシステムを提供する。【解決手段】集合住宅のエントランスに設置される集合玄関機１、１、・・・と住戸アダプタ７、７、・・・を介して通話を成立させるための居室親機３、３、・・・と管理室親機５と制御機２とを設け、制御機は集合玄関機および管理室親機の何れかからの呼出により通話チャンネルを選択するためのチャンネル選択部２４、２５を備え、居室親機は制御機からのチャンネル選択信号により住戸アダプタに送信するチャンネル切替信号を生成する居室親機ＣＰＵ４１を備え、住戸アダプタはチャンネル切替信号を受信したとき集合玄関機または管理室親機と居室親機とを選択された通話チャンネルに切替て集合玄関機または管理室親機と居室親機間の通話路を形成するための切替部ＳＷ１、ＳＷ２を有する。【選択図】図１
2007235219.tif 000002
【特許請求の範囲】
【請求項１】
集合住宅のエントランスに設置される集合玄関機（１、１、・・・）と、集合住宅の各住戸内にそれぞれ設置され前記集合玄関機から呼出され住戸アダプタ（７、７、・・・）を介して通話を成立させるための居室親機（３、３、・・・）と、前記集合玄関機および前記居室親機をそれぞれ制御するための制御機（２）とを設け、
前記制御機は、前記集合玄関機からの呼出により通話チャンネルを選択するためのチャンネル選択部（２４、２５）を備え、
前記居室親機は、前記制御機からのチャンネル選択信号により前記住戸アダプタに送信するチャンネル切替信号を生成する居室親機ＣＰＵ（４１）を備え、
前記住戸アダプタは、前記チャンネル切替信号を受信したとき前記集合玄関機と前記居室親機とを選択された通話チャンネルに切替て前記集合玄関機及び前記居室親機間の通話路を形成するための切替部（ＳＷ１、ＳＷ２）を有することを特徴とする集合住宅インターホンシステム。
【請求項２】
集合住宅のエントランスに設置される集合玄関機（１、１、・・・）と、集合住宅の各住戸内にそれぞれ設置され前記集合玄関機から呼出され住戸アダプタ（７、７、・・・）を介して通話を成立させるための居室親機（３、３、・・・）と、前記集合住宅の管理室内に設置され前記集合玄関機および前記居室親機からそれぞれ呼び出され、または前記居室親機を呼び出して通話を成立させるための管理室親機（５）と、前記集合玄関機、前記居室親機および前記管理室親機をそれぞれ制御するための制御機（２）とを設け、
前記制御機は、前記集合玄関機および前記管理室親機の何れかからの呼出により通話チャンネルを選択するためのチャンネル選択部（２４、２５）を備え、
前記居室親機は、前記制御機からのチャンネル選択信号により前記住戸アダプタに送信するチャンネル切替信号を生成する居室親機ＣＰＵ（４１）を備え、
前記住戸アダプタは、前記チャンネル切替信号を受信したとき前記集合玄関機または前記管理室親機と前記居室親機とを選択された通話チャンネルに切替て前記集合玄関機または前記管理室親機と前記居室親機間の通話路を形成するための切替部（ＳＷ１、ＳＷ２）を有することを特徴とする集合住宅インターホンシステム。
【請求項３】
前記チャンネル切替信号は、パルス幅を変化させる信号を使用して通信を行うことを特徴とする請求項１又は請求項２記載のインターホンシステム。
【請求項４】
前記チャンネル切替信号は、シリアル通信にて通信を行うことを特徴とする請求項１又は請求項２記載のインターホンシステム。
【請求項５】
前記チャンネル切替信号は、パルスカウント可能なものであって、パルスの数に応じて動作することを特徴とする請求項１又は請求項２記載のインターホンシステム。
【発明の詳細な説明】
【技術分野】
【０００１】
本発明は集合住宅インターホンシステムに係り、特に映像付集合住宅インターホンシステムについて居室親機と制御機間を接続するための住戸アダプタ及び居室親機間における配線数を削減し、省線化することができる集合住宅インターホンシステムに関する。
【背景技術】
【０００２】
集合住宅インターホンシステムにおいては、例えば居室親機と管理室親機あるいは集合玄関機との間の通話路を形成するに当たり、管理室親機と通話する場合と集合玄関機と通話する場合では通話路の切替を行う必要があるが、従来通話路の切替は居室親機にて行っていた（例えば、特許文献１参照）。
【０００３】
特許文献１に開示されたインターホンシステムでは、親機と複数の子機との間で通話路を形成する場合、親機内にそれぞれの子機に対応した子機信号を送出する選局スイッチ検出回路が設けられている。即ち、親機内で通話路の切替を行うもので、これは集合住宅インターホンシステムにおいてもまったく同様であり、集合住宅インターホンシステムにおける集合玄関機や管理室親機が特許文献１における複数の子機に相当する。
【０００４】
【特許文献１】実開平７−４２２５６号公報
【発明の開示】
【発明が解決しようとする課題】
【０００５】
上記従来例のように、居室親機と集合玄関機や管理室親機との間で通話路を形成する場合には居室親機側で通話路の切替を行っていたが、近年の集合住宅インターホンシステムにおいては、映像付インターホンシステムが標準装備となってきている。
【０００６】
集合住宅における映像付インターホンシステムでは、映像用の機器として住戸アダプタが用いられるが、従来の集合住宅インターホンシステムにおいて映像付インターホンシステムを採用する場合は居室親機と集合玄関機や管理室親機との配線の他に住戸アダプタの配線も必要となるために住戸アダプタ及び居室親機間の配線数が多くなっていた。
【０００７】
本発明は、上述の難点を解消するためになされたもので、映像付インターホンシステムが普及し、標準装備となることにより住戸アダプタは必須のものとなるため、住戸アダプタで通話路の切替をおこなうようにして、住戸アダプタ及び居室親機間の通話路の配線数を削減し省線化することができる集合住宅インターホンシステムを提供することを目的としている。
【課題を解決するための手段】
【０００８】
本発明の集合住宅インターホンシステムは、第１の態様として、集合住宅のエントランスに設置される集合玄関機と、集合住宅の各住戸内にそれぞれ設置され集合玄関機から呼出され住戸アダプタを介して通話を成立させるための居室親機と、集合玄関機および居室親機をそれぞれ制御するための制御機とを設け、制御機は、集合玄関機からの呼出により通話チャンネルを選択するためのチャンネル選択部を備え、居室親機は、制御機からのチャンネル選択信号により住戸アダプタに送信するチャンネル切替信号を生成する居室親機ＣＰＵを備え、住戸アダプタは、チャンネル切替信号を受信したとき集合玄関機と居室親機とを選択された通話チャンネルに切替て集合玄関機及び居室親機間の通話路を形成するための切替部を有することを特徴とする。
【０００９】
また、本発明の集合住宅インターホンシステムは、第２の態様として、集合住宅のエントランスに設置される集合玄関機と、集合住宅の各住戸内にそれぞれ設置され集合玄関機から呼出され住戸アダプタを介して通話を成立させるための居室親機と、集合住宅の管理室内に設置され集合玄関機および居室親機からそれぞれ呼び出され、または居室親機を呼び出して通話を成立させるための管理室親機と、集合玄関機、居室親機および管理室親機をそれぞれ制御するための制御機とを設け、制御機は、集合玄関機および管理室親機の何れかからの呼出により通話チャンネルを選択するためのチャンネル選択部を備え、居室親機は、制御機からのチャンネル選択信号により住戸アダプタに送信するチャンネル切替信号を生成する居室親機ＣＰＵを備え、住戸アダプタは、チャンネル切替信号を受信したとき集合玄関機または管理室親機と居室親機とを選択された通話チャンネルに切替て集合玄関機または管理室親機と居室親機間の通話路を形成するための切替部を有することを特徴とする。
【００１０】
さらに、本発明の集合住宅インターホンシステムは、第３の態様として、第１または第２の態様において、チャンネル切替信号は、パルス幅を変化させる信号を使用して通信を行うことを特徴とする。
【００１１】
また、本発明の集合住宅インターホンシステムは、第４の形態として、第１または第２の形態において、チャンネル切替信号は、シリアル通信にて通信を行うことを特徴とする。
【００１２】
さらに、本発明の集合住宅インターホンシステムは、第５の形態として、第１または第２の形態において、チャンネル切替信号は、パルスカウント可能なものであって、パルスの数に応じて動作することを特徴とする。
【発明の効果】
【００１３】
本発明の集合住宅インターホンシステムの第１の態様によれば、集合玄関機と居室親機の通話において、住戸アダプタで通話路を切替るように構成しているので住戸アダプタ及び居室親機間の配線数を削減することができる。
【００１４】
また、本発明の集合住宅インターホンシステムの第２の態様によれば、集合玄関機や管理室親機と居室親機の通話において、住戸アダプタで通話路を切替るように構成しているので住戸アダプタ及び居室親機間の配線数を削減することができる。
【００１５】
さらに、本発明の集合住宅インターホンシステムの第３から第５の態様によれば、チャンネル切替信号をパルス幅を変化させたり、シリアル通信にて通信を行うようにしたり、パルスカウント可能なものであって、パルスの数に応じて動作するようにするので、複雑な情報を送信することができ、また目的に応じて最も適した通信方法を選択することができる。
【発明を実施するための最良の形態】
【００１６】
以下、本発明による集合住宅インターホンシステムを適用した好ましい実施の形態について、図面を参照して説明する。
【００１７】
本発明による集合住宅インターホンシステムは図１に示すように、集合玄関機１と、制御機２と、居室親機３と、管理室親機５と、居室親機３に対応した住戸アダプタ７とから構成されている。
【００１８】
ここで、集合玄関機１はエントランスに設置され、来訪者が住戸内の居住者または管理室内の管理人を呼び出して通話を行なう機能を有しており、居室親機３は集合住宅内に入った来訪者や管理室内の管理人と通話を行なう機能を有している。また、管理室親機５は集合住宅の管理室内に設置され、来訪者や居住者からの呼び出しを確認した管理人が通話を行なう機能を有している。そして、制御機２には集合玄関機１、管理室親機５がそれぞれ接続されているとともに、居室親機３が住戸アダプタ７を介して接続されており、この制御機２は各伝送線を介して接続されている集合玄関機１、居室親機３、管理室親機５等をそれぞれ制御するようになっている。
【００１９】
上記のような各端末において、居室親機３、住戸アダプタ７、制御機２はそれぞれ図２から図４に示すような構成となっている。以下に、各端末の構成と接続関係を説明する。
【００２０】
居室親機３は図２に示すように、復調回路３１、モニタ３２、通話回路３３、スピーカ３４、マイク３５、録音メモリ３６、録画メモリ３７、操作手段３８、通知ＬＥＤ３９、居室親機インターフェース（ＩＦ）４０、居室親機ＣＰＵ４１とから構成されている。
【００２１】
図２において、居室親機ＣＰＵ４１には復調回路３１、通話回路３３、録音メモリ３６、録画メモリ３７、操作手段３８及び通知ＬＥＤ３９がそれぞれ接続されており、通話回路３３にはスピーカ３４とマイク３５が接続され、復調回路３１にはモニタ３２が接続されている。そして、居室親機ＣＰＵ４１、復調回路３１、通話回路３３は居室親機ＩＦ４０に接続され、この居室親機ＩＦ４０を介して通話・映像信号伝送ライン、呼出・応答信号伝送ライン、チャンネル切替信号伝送ラインにより住戸アダプタ７と接続されている。
【００２２】
また、住戸アダプタ７は図３に示すように、集合玄関機１、管理室親機５用の通話・映像信号伝送ラインＬ１、Ｌ２、呼出・応答信号伝送ラインＬ３が介在され、Ｌ１、Ｌ２には切替部としてそれぞれ各居室親機３と接続するための切替スイッチＳＷ１、ＳＷ２を有している。
【００２３】
さらに、制御機２は図４に示すように、データＩＦ２１、２２及びチャンネル選択部であるチャンネル切替部２４、制御機ＣＰＵ２５とから構成され、制御機ＣＰＵ２５にデータＩＦ２１、２２、チャンネル切替部２４が接続されており、データＩＦ２１、２２、またチャンネル切替部２４はそれぞれ住戸アダプタ及び集合玄関機、管理室親機に接続されている。
【００２４】
このように構成された本発明の集合住宅インターホンシステムについて、以下に動作を説明する。
【００２５】
なお、本実施の形態においては、通話信号伝送ライン、映像信号伝送ラインは共通ラインであって、さらに例として２通話路（チャンネル）を有するものとして説明する。
【００２６】
また、通常時における来訪者の呼出、通話、オートドアの解錠等の動作については従来と同様であるので説明を省略する。
【００２７】
まず、来訪者が居住者を呼び出すために集合玄関機１で居室番号を入力し呼び出し操作をおこなうと、居室ＩＤが付加された呼出信号が制御機２の制御機ＣＰＵ２５で受信される。これにより、制御機ＣＰＵ２５は通話チャンネルの空き状況を確認し、空いている場合にはチャンネルを選択するためにチャンネル（ＣＨ）切替部２４を制御する。
【００２８】
また、当該呼出信号が住戸アダプタ７を介して居室親機３に送信され、居室親機３では居室親機ＣＰＵ４１において呼出信号に付加された居室ＩＤが自居室ＩＤと一致するか比較する。
【００２９】
呼出信号の居室ＩＤと自居室ＩＤが一致する場合には、制御機２からの制御により、居室親機ＣＰＵ４１は制御機２で選択したチャンネルと通話路を形成するために住戸アダプタ７に対してチャンネル制御信号を送信する。これにより、住戸アダプタ７では切替ＳＷ１をＯＮにし（本実施の形態ではＣＨ１が選択されたとする）、集合玄関機１及び居室親機３間の通話路を形成させる。この結果、来訪者は居住者と通話をおこなうことが可能となる。
【００３０】
次に、通話が終了すると、制御機２の制御機ＣＰＵ２５はチャンネル切替部２４を開放させるとともに居室親機３へ切替ＳＷ１をＯＦＦにするための信号を送信する。この信号を受けて居室親機３では居室親機ＣＰＵ４１の制御により住戸アダプタ７の切替ＳＷ１を開放して通話を終了させる。
【００３１】
本発明は上記実施の形態に限定されない。即ち、上記実施の形態においては集合玄関機と居室親機との通話について説明したが、管理室親機と居室親機間の通話も同様に動作する。なお、居室親機から管理室親機を呼び出して通話する場合であっても、使用する通話チャンネルを特定して住戸アダプタの切替スイッチを制御する必要があるので制御機の制御にしたがって動作することになる。
【００３２】
また、本実施の形態では通話路の切替についてのみ説明したが、映像も同じラインを使用しているので、同様の動作で映像路の切替を行うことも可能である。
【００３３】
なお、切替スイッチの具体的な例としてはリレースイッチなどを用いることができる。また、チャンネル切替信号はパルス幅を変化させたり、シリアル通信にて通信を行うようにしたり、パルスカウント可能なものであってパルスの数に応じて動作するなど目的に応じて最も適した通信方法を選択することができる。さらに、ＣＨ数も２に限定されるものではなく、多数のＣＨを設置することも可能である。
【００３４】
以上説明したように本発明の集合住宅インターホンシステムは、特に映像付集合住宅インターホンシステムの場合、住戸アダプタで通話路の切り替えをおこなうようにしたので、住戸アダプタ及び居室親機間の通話路の配線数を大幅に削減し省線化を図ることができる。
【図面の簡単な説明】
【００３５】
【図１】本発明の集合インターホンシステムの一実施の形態を説明する機器構成図である。
【図２】本発明の集合インターホンシステムの一実施の形態の機器構成のうちの居室親機のブロック図である。
【図３】本発明の集合インターホンシステムの一実施の形態の機器構成のうちの住戸アダプタの接続関係を表す図である。
【図４】本発明の集合インターホンシステムの一実施の形態の機器構成のうちの制御機のブロック図である。
【符号の説明】
【００３６】
１          集合玄関機
２          制御機
３          居室親機
５          管理室親機
７          住戸アダプタ
２４          チャンネル切替部
２５          制御機ＣＰＵ
４１          居室親機ＣＰＵ
【図１】
2007235219.tif 000003
【図２】
2007235219.tif 000004
【図３】
2007235219.tif 000005
【図４】
2007235219.tif 000006